(57)【要約】      （修正有）【課題】安全性が高く、安価且つ取り付けも容易な長尺物保持具を提供する。【解決手段】長尺物保持具は、設置部位に固定するための固定部１１と、保持穴１２Ｈにより長尺物を保持する保持部１２とを有し、保持部は固定部に対して任意の方向に弾性変形が可能なゴム弾性体により構成される。【選択図】図１
0003222145.tif 000002
【実用新案登録請求の範囲】
【請求項１】
設置部位に固定するための固定部と、
長尺物の保持部とを有し、
前記保持部は前記固定部に対して任意の方向に弾性変形が可能なゴム弾性体により構成される、
ことを特徴とする長尺物保持具。
【請求項２】
前記保持部は互いに独立して弾性変形可能な２本の腕状に構成される、
ことを特徴とする、請求項１に記載の長尺物保持具。
【請求項３】
前記保持部を支持する支持部を有し、
前記支持部と前記保持部は前記ゴム弾性体により一体的に構成される、
ことを特徴とする、請求項１または請求項２に記載の長尺物保持具。
【請求項４】
前記固定部と前記保持部は前記ゴム弾性体により一体的に構成される、
ことを特徴とする、請求項１乃至請求項３のいずれか一項に記載の長尺物保持具。
【請求項５】
前記固定部は、接着面が設けられる、
ことを特徴とする、請求項１乃至請求項４のいずれか一項に記載の長尺物保持具。
【請求項６】
前記ゴム弾性体は、シリコーン樹脂である、
ことを特徴とする、請求項１乃至請求項５のいずれか一項に記載の長尺物保持具。
【考案の詳細な説明】
【技術分野】
【０００１】
本考案は、安全性の高い長尺物保持具に関する。
【背景技術】
【０００２】
従来、板ばねにより形成されたリング状部材からなる係着部によって両側から挟みこむなどして、杖を保持する杖保持具が知られている（例えば、特許文献１参照）。
【０００３】
また、ホルダー部を取付面に対して平行に折り畳み可能な杖ホルダーも知られている（例えば、特許文献２参照）。
【先行技術文献】
【特許文献】
【０００４】
【特許文献１】実用新案登録第３１５３０４７号
【特許文献２】実用新案登録第３１１８９５７号
【考案の概要】
【考案が解決しようとする課題】
【０００５】
しかしながら、例えば特許文献１に記載のように、保持具の材質が金属や硬質なプラスチックであると、安全性が十分ではない問題があった。
【０００６】
具体的には、壁面やテーブル側面（以下同様）などに取り付ける保持具の場合、それ自体が壁面等から前方に突出するため、使用者等が保持具自体に接触したり、あるいは引っ掛かりによって転倒するなどの問題がある。また、その周囲で転倒した場合に頭部等が保持具に衝突し、思わぬ怪我をする恐れもある。
【０００７】
また、人体に限らず、周辺の物品（機材など）を移動する際に、保持具（ホルダー）に接触すると、それらを傷つけてしまう。
【０００８】
また、例えば特許文献２に記載のホルダーは未使用時には折り畳むことが可能であるが、折り畳む動作を行なう回動部分４２、保持のために回動する支持部１３など機械的に動作する部位や、ネジで壁面への取り付ける取り付け部分４については硬質の材料を選択せざるを得ず、上記と同様の問題が生じる。また、その構成も複雑であり、コストの削減には限界がある。
【０００９】
特に病院や公共施設など、不特定多数の者が集合する場所においては、常時長尺物（例えば、杖など）を保持させてるとは限らず、保持させている状態と保持させていない状態とが頻繁に切り替わる。また、他人が保持させた長尺物については注意が不足する場合も多く、使用者等が接触する可能性が高くなる。
【００１０】
更に、長尺物が杖などの場合は、その使用者は高齢者や脚が不自由な者である場合も多く、引っ掛かりによる転倒、また転倒時の保持具への衝突などはでき得る限り避ける必要がある。
【００１１】
また、上述の構成の場合はいずれも、取り付け部位（例えば、テーブルや壁面など）に対しても傷を付ける恐れがあったり、物理的に取り付けられない場合があるなどの問題も生じる。
【００１２】
本考案は、斯かる実情に鑑み、安全性が高く、安価且つ取り付けも容易な長尺物保持具を提供しようとするものである。
【課題を解決するための手段】
【００１３】
本考案は、設置部位に固定するための固定部と、長尺物の保持部とを有し、前記保持部は前記固定部に対して任意の方向に弾性変形が可能なゴム弾性体により構成される、ことを特徴とする長尺物保持具にかかるものである。
【考案の効果】
【００１４】
本考案によれば、安全性が高く、安価且つ取り付けも容易な長尺物保持具を提供できる。
【図面の簡単な説明】
【００１５】
【図１】本考案の実施形態に係る長尺物保持具の外観を示す図であり、（Ａ）上面図、（Ｂ）側面図、（Ｃ）下面図、（Ｄ）正面図、（Ｅ）背面図である。
【図２】本考案の実施形態に係る長尺物保持具の変形の状態の一例を示す外観図であり、（Ａ）上面図、（Ｂ）斜視図である。
【図３】本考案の実施形態に係る長尺物保持具の設置および使用の状態を示す図である。
【図４】本考案の実施形態に係る長尺物保持具に長尺物を着脱する状態を示す上面図である。
【図５】本考案の実施形態に係る長尺物保持具の（Ａ）変形例を示す図、（Ｂ）変形例を示す図、（Ｃ）変形例を示す図、（Ｄ）他の使用例を示す図、（Ｅ）他の使用例を示す図である。
【考案を実施するための形態】
【００１６】
以下、本考案の実施の形態を添付図面を参照して説明する。図１〜図５は考案を実施する形態の一例であって、図中、同一の符号を付した部分は同一物を表わす。
【００１７】
図１は、本考案の実施形態に係る長尺物保持具（長尺物ホルダー）の外観を示す図であり、同図（Ａ）が上面図、同図（Ｂ）が右側面図（左側面図も同様）、（Ｃ）下面図、（Ｄ）正面図、（Ｅ）背面図である。
【００１８】
本実施形態の長尺物保持具１０は、設置部位Ｐに固定して利用され、長尺物をその長手方向を起立（および起立に近い）状態で保持または支持するものである。設置部位Ｐは例えば床面または地面に対して（略）鉛直な壁面や他の物品（机、棚など）の側面などであり、長尺物は例えば、杖（ステッキ）、傘などである。
【００１９】
図１（Ａ）、同図（Ｂ）を参照して、長尺物保持具１０は、上面視において例えば角型の略Ｃ字形状、側面視において例えば略Ｌ字形状を呈し、設置部位Ｐに固定するための固定部１１と、長尺物の保持部１２と、保持部１２を支持するとともに固定部１１に連結する支持部１３を有する。
【００２０】
固定部１１は、（略）平坦な接着面１１Ｓ（同図（Ｂ），同図（Ｅ））を有し、ネジなど別途の部材を用いずに保持部１２を直接的に設置部位Ｐに固定できる。接着面１１Ｓは、例えば粘着シール（例えば、両面テープ）面またはマグネット面であり、その粘着材（接着材）は、例えば、接着強度が強く、経時劣化が少ないもの（剥がれ難いもの）が望ましい。また、粘着シール面とマグネット面を選択可能としてもよい。
【００２１】
保持部１２は、固定部１１に対して任意の方向に弾性変形が可能なゴム弾性体により構成される。より詳細に、保持部１２は、長尺物の棒状部分（柄など）が挿通可能な保持穴１２Ｈが区画されるよう２本の腕状部１２Ａを有している。つまり保持穴１２Ｈによって長尺物の棒状部分（例えば、柄など）を保持する。保持穴１２ＨのサイズＬ１、Ｌ２は、いずれも例えば、一般的な杖や傘等の柄の直径が保持可能な程度であるが、２本の腕状部１２Ａの先端同士の間（切り欠き部１２Ｂ）の距離Ｌ３は、一般的な杖や傘等の柄の直径よりも小さいことが望ましい。
【００２２】
ゴム弾性体は、例えば外力が加えられない状態では自身の形状を維持できる程度の硬度は有するものの、比較的小さい外力によって任意の方向に弾性変形可能なものが適宜選択される。ゴム弾性体の一例を挙げると熱硬化性樹脂系エラストマーであり、より具体的にはシリコーン樹脂（シリコーンゴム）である。
【００２３】
具体的に、保持部１２は、固定部１１に対して（固定部１１を設置部位Ｐに固定した状態で）略水平方向（床面等に平行な方向）への変形や、略鉛直方向（床面等に垂直な方向）への任意の方向への弾性変形が可能である。より詳細には、２本の腕状部１２Ａは互いに独立して任意の方向への弾性変形が可能である。
【００２４】
支持部１３は、２本の腕状部１２Ａ（保持部１２）を一体的に支持して固定部１１に連結する部位であり、支持部１３もゴム弾性体（例えば、シリコーン樹脂）で構成される。また、固定部１１も例えば（接着面１１Ｓを除き）ゴム弾性体（例えば、シリコーン樹脂）により構成される。
【００２５】
長尺物保持具１０は、例えば、保持部１２および支持部１３が同じ素材のゴム弾性体で一体的に構成される。また、固定部１１および支持部１３が同じ素材のゴム弾性体で一体的に構成される。つまり、本実施形態の長尺物保持具１０は、一例として、固定部１１、保持部１２および支持部１３が同じ素材のゴム弾性体（シリコーン樹脂）で構成された一体成形品である。
【００２６】
保持部１２は、弾性変形が可能である一方で、長尺物を保持（または支持、以下同様）可能な剛性を有する必要がある。また、長尺物の着脱が容易なように、外力が加えられていない状態でも腕状部１２Ａを設置部位Ｐから前方に（床面と略平行になるように）突出させた状態が維持できるように、材質と形状が適宜選択される。この例では、鉛直方向において保持部１２の厚みＤ１は固定部１１の鉛直方向の厚みＤ２より小さい例を示しているが、保持部１２の厚みＤ１は固定部１１の厚みＤ２よりも厚くても良いし薄くても良いし同等でもよい。
【００２７】
なお、本実施形態では説明の便宜上、保持部１２と支持部１３を区別して説明しているが、両者が一体的に構成されている場合は、支持部１３は保持部１２に含まれるものとし、保持部が固定部１１と一体的に構成されていてもよい。
【００２８】
図２は、保持部１２の変形の状態の一例を示す図であり、同図（Ａ）が上面図、同図（Ｂ）が斜視図である。
【００２９】
同図（Ａ）は、２本の腕状部１２Ａの先端が互いに離間するように、腕状部１２Ａを床面等に対して（略）水平方向に広げた状態を示す。また同図（Ｂ）は、一方の腕状部１２Ａが他方の腕状部１２Ａより下方に位置するように変形させた状態を示す。同図は一例であり、上方への変形や、一方及び／または他方の腕状部１２Ａを捻るような変形、一方のみまたは両者の変形等が可能である。
【００３０】
このように、本実施形態の保持部１２（腕状部１２Ａ）は、ネジ、ヒンジなどによる可動ではなく、保持部１２自体の弾性変形によって２本の腕状部１２Ａが互いに任意の方向に離間・近接するように変形し、保持穴１２Ｈおよび／または切り欠き１２Ｂを広げることができる。
【００３１】
図３は、本実施形態の長尺物保持具１０の設置、および長尺物２０（例えば、杖）の保持状態の一例を示す図である。
【００３２】
既に述べている通り、本実施形態の長尺物保持具１０は、固定部１１（接着面１１Ｓ）により、設置部位Ｐに固定して利用され、長尺物２０をその長手方向を起立（および起立に近い）状態で保持または支持する。また、ネジなど別途の部材を用いずに保持部１２を直接的に設置部位Ｐに固定できる。
【００３３】
設置部位Ｐは例えばトイレの壁面（同図（Ａ）），室内の壁面（同図（Ｂ））、待合室等の設備（例えば植木鉢や棚など）の側面（同図（Ｃ）），病室の壁面（同図（Ｄ））など、あらゆる（略）鉛直面である。また、樹脂材料により構成されているので、トイレ、洗面台付近など水濡れの恐れがある設置部位Ｐでも問題がない。また、設置部位Ｐは、テーブル側面、ＡＴＭ、自同販売機、選挙投票所の記帳台や葬儀場の焼香場所など任意の場所を適宜選択できる。
【００３４】
なお、少なくとも保持部１２は、遠方からも目立つように色彩や模様などが付されると望ましい。この例では保持部１２（および一帯成形の支持部１３、固定部１１）は、蛍光色（例えば、蛍光黄色など）を呈している。さらに、例えば支持部１３の上面などに長尺物の保持具（ホルダー）であることが視認できるような表示、あるいは視覚障害者用に点字や凹凸による表記（例えば「つえたて」などの表示）を行なうとよい。
【００３５】
図４は、長尺物保持具１０に対する長尺物２０の着脱の様子を示す上面図である。既に述べているように、保持部１２（腕状部１２Ａ）は互いに任意の方向に弾性変形が可能である。従って、同図（Ａ）に示すように、長尺物保持具１０に長尺物２０を保持させる場合には、切り欠き部１２Ｂの外側から長尺物２０を当接させて保持穴１２Ｈ方向に押し込むだけで、その押し込み力によって同図（Ｂ）に示すように保持部１２が任意に変形し、保持穴１２Ｈに長尺物２０が挿通された後に弾性力によってもとの形状に戻ることで保持穴１２Ｈに柄を保持させることができる。
【００３６】
また、同図（Ｃ）に示すように、長尺物２０の離脱の際も、保持状態にある長尺物２０を手前に引っ張るだけで保持部１２が任意に変形し（同図（Ｂ）参照）、長尺物２０を保持穴１２Ｈから容易に離脱させることができる。なお、保持部１２の変形の態様は図示したものに限らない。
【００３７】
このように、本実施形態の長尺物保持具１０は、少なくとも保持部１２が柔軟なゴム弾性体（例えば、シリコーン樹脂）で構成されているため、使用者等が長尺物保持具１０に引っ掛かることによる事故や、長尺物保持具１０の周囲で転倒するなどして長尺物保持具１０に接触（衝突）することによる事故を防ぐことができる。また、人体が長尺物保持具１０に接触（衝突）した場合であっても、硬質材料で構成されている場合と比較して、人体への影響（受傷の程度）を最小限にすることができる。
【００３８】
また、物品（機材など）の移動などの際に物品が長尺物保持具１０に接触する場合もあるが、当該物品に対しても硬質材料で構成されている場合と比較して、傷等の発生を最小限にすることができる。
【００３９】
更に、長尺物保持具１０に人や物が接触（衝突）した場合であっても、保持部１２（および支持部１３）が或る程度の衝撃を吸収可能であり、固定部１１に掛かる負担を軽減できる。また、粘着材（接着材）やマグネット等による接着面Ｓの直接的な接着である。このため、例えば、ネジ止めなどで頑強に固定される構成と比較して固着している設置部位Ｐについても損傷のリスクを低減できる。
【００４０】
また、保持部１２の全体がゴム弾性体（シリコーン樹脂）で構成されているため、長尺物２０の滑りを回避し、確実に保持することができる。また、例えば硬質の保持部の内側に別途滑り止めを別途設ける場合と比較して、部品点数や製造工数を削減することができる。
【００４１】
また、固定部１１、保持部１２および支持部１３を樹脂の一体成形で構成しているため、複数部品で構成する場合と比較して、製品単価を安価にすることができる。
【００４２】
また、接着面１１Ｓを設置部位Ｐに押し付けるのみで固定できるので、取り付けに工具などは不要であり、場所を選ばず容易且つ簡便に取り付けることができ、設置部位Ｐ側への影響（穴が開くなど）を回避し、傷を付けずに固定できる。
【００４３】
さらに、外観を例えば蛍光色など目立つ色彩にすることにより、設置部位Ｐをわかりやすく認識させることができる。
【００４４】
図５は、長尺物保持具１０の変形例および使用の他の例を示す図であり、同図（Ａ）〜同図（Ｃ）が上面図、同図（Ｄ），同図（Ｅ）が正面図である。
【００４５】
同図（Ａ）に示すように、長尺物保持具１０の形状は、上述の例に示すような上面視角型の略Ｃ字形状に限らず、上面視丸型の略Ｃ字形状であってもよいし、同図（Ｂ）に示すように切り欠き部１２Ｂが微細（または切れ込み１２Ｂ´のみ）で、腕状部１２Ａの先端同士が略当接するかまたは限りなく近接している上面視略Ｏ字形状であってもよい。
【００４６】
また、同図（Ｃ）に示すように、少なくとも保持部１２がゴム弾性体（シリコーン樹脂）で構成されていれば、固定部１１は硬質プラスチック、木材、金属など他の材質で構成されていてもよい。
【００４７】
さらに、上記の実施形態では長尺物２０として杖の場合を例に説明したがこれに限らず、長尺物２０は例えば、同図（Ｄ）に示すように傘や、同図（Ｅ）に示すように長尺の柄を有する掃除道具（モップ、ワイパーなど）であってもよい。またい、図示は省略するが、長尺物２０は棒状部材（柄）を有するものに限らず、例えば、ホース、パイプなどの長尺の管状物であって、保持部１２がその一端を保持するものであってもよい。
【００４８】
以上、上述の実施形態では、固定部１１、保持部１２および支持部１３が同じ素材のゴム弾性体（シリコーン樹脂）で構成された一体成形品である場合を例に説明したが、固定部１１、保持部１２および支持部１３の少なくとも何れかは、異なる種類のゴム弾性体（シリコーン樹脂）で構成されていてもよい。
【００４９】
なお、ゴム弾性体は、他の熱硬化性樹脂系エラストマー（例えば、ウレタンゴムやフッ素ゴムなど）であってもよいし、少なくとも保持部１２が任意の方向に弾性変形可能であれば、他のエラストマー、あるいはエラストマー以外の弾性のある高分子材料であってもよい。
【００５０】
また、接着面１１Ｓは、粘着シール面やマグネット面に替えてまたはこれに追加してネジ止め等により設置部位Ｐに接着（固着）する面であってもよい。
【００５１】
尚、本発明の長尺物保持具１０は、上記した実施の形態に限定されるものではなく、本考案の要旨を逸脱しない範囲内において種々変更を加え得ることは勿論である。
【符号の説明】
【００５２】
１０    長尺物保持具
１１    固定部
１１Ｓ    接着面
１２    保持部
１２Ａ    腕状部
１２Ｂ    部
１２Ｈ    保持穴
１３    支持部
２０    長尺物
【図１】
0003222145.tif 000003
【図２】
0003222145.tif 000004
【図３】
0003222145.tif 000005
【図４】
0003222145.tif 000006
【図５】
0003222145.tif 000007